(57)【要約】【課題】便器への水の流出時の騒音が小さい水洗便器を提供する。【解決手段】バルブ２１を開けると、配管２０から水が配管２２内に流入し、該配管２２内に溜っていた空気と混ざりながら、第１水路２４から気泡解砕部２５内に流入する。この第１水路２４から気泡解砕部２５内に入った気泡は、第１水路２４の末端に対向する気泡解砕部内面２５ａに当って細かく解砕され、第２水路２６から吐水口２７を経て走水路１２へ流出する。このように細かくなっている気泡は、吐水口２７から走水路１２へ流出する際に破裂することがなく、破裂音に起因した騒音発生が防止される。【選択図】図１
2007169966.tif 000002
【特許請求の範囲】
【請求項１】
鉢部と、該鉢部の上縁に向かって洗浄水を流出させる吐水口と、該吐水口に連なる水路と、該水路の途中に設けられた気泡解砕部とを有する水洗便器において、
該気泡解砕部は、該気泡解砕部よりも上流側の略水平な第１水路が該下部に連なり、該気泡解砕部よりも下流側の略水平な第２水路が上部に連なった上下方向水路よりなり、
該第２水路の上面は、前記吐水口に至るまで平坦であることを特徴とする水洗便器。
【請求項２】
請求項１において、該第２水路の流路断面積は、第２水路全体にわたって同一であるか、又は下流側が上流側と同一かそれよりも大きいものであることを特徴とする水洗便器。
【請求項３】
請求項１又は２において、前記気泡解砕部に臨む第１水路の末端と、該末端の前方に位置する気泡解砕部内面との距離が３０〜６０ｍｍであることを特徴とする水洗便器。
【請求項４】
請求項３において、該第１水路の末端は、該気泡解砕部内に突出していることを特徴とする水洗便器。
【請求項５】
請求項１ないし４のいずれか１項において、該気泡解砕部の少なくとも下部の水平断面積が、第１水路及び第２水路のいずれの流路断面積よりも大きいことを特徴とする水洗便器。
【発明の詳細な説明】
【技術分野】
【０００１】
本発明は、水洗便器に係り、特に便器鉢部の上縁へ供給する水の中の気泡を解砕する機構を備えた水洗便器に関する。
【背景技術】
【０００２】
洋風便器にあっては、便器鉢部上縁に水を供給し、鉢面の略全体を水で洗うように構成している。
【０００３】
特開２００５−２１３８８０号には、鉢部上縁をオーバーハング状に鉢部内方へ突出させ、オーバーハングの下側に水をリム吐水口から比較的高速で吐出させ、水をオーバーハングの下側に沿って走行させ、鉢面全体に行き渡らせるようにした水洗便器において、このリム吐水口から吐出される水中の気泡を細かくする構造が記載されている。
【０００４】
この特開２００５−２１３８８０号にあっては、リム吐水口に至る水路の天井面に凹部を設け、凹部の立ち下がり部によって水中の気泡を細かくすることが記載されている。
【特許文献１】特開２００５−２１３８８０号
【発明の開示】
【発明が解決しようとする課題】
【０００５】
第６図は水路の天井面を平坦とした場合の便器水路内の気泡状況図、第７図は便器水路の天井面に立ち下がり部を設けた場合の気泡状況図である。
【０００６】
第６図（ａ）は、水を流す前の状態であり、水路１内は吐水口２に到るまで空であり、空気のみが存在している。
【０００７】
第６図（ｂ）では、気泡を含んだ水が水路１内に流れ込み始めている。第６図（ｃ）の状態を経て、第６図（ｄ）のように水路１内が水で満たされる。この水の中に比較的大きな気泡が含まれており、大きな気泡が吐水口２から出るときに気泡がはじけ、比較的大きな騒音が発生する。即ち、気泡は水路内を流れているときには水圧によって圧縮されており、この気泡が吐水口に至り、急激に周囲の水圧が下がると、気泡が急激に膨張し、この際に騒音が発生する。
【０００８】
上記特開２００５−２１３８８０号は、天井面に立ち下がり段差を設け、この段差によって水中の気泡を解砕しようとするものであるが、この段差付近で気泡が会合して空気塊として溜まり、気泡が長時間にわたって少しずつ吐水口から吐出し、騒音が長時間継続するという短所がある。第７図はかかる空気塊形成状況を示している。第７図（ａ），（ｂ），（ｃ）の通り、水路３に水が流れ始め、同（ｄ）の通り水路３内が水で満たされた状態になると、気泡が立ち下り部３ａの直近の上流側の天井部に溜り、空気塊が形成される。この空気塊の一部が立ち下り部３ａの下縁を超えて水路３の下流側へ気泡となって流出する。この気泡が吐水口２に到ると、同様に騒音が発生する。この気泡流出は、水路３からの吐水がほぼ終了するまで継続するので、異音発生が長時間継続する。
【０００９】
本発明は、便器への水の流出時の騒音が小さい水洗便器を提供することを目的とする。
【課題を解決するための手段】
【００１０】
請求項１の水洗便器は、鉢部と、該鉢部の上縁に向かって洗浄水を流出させる吐水口と、該吐水口に連なる水路と、該水路の途中に設けられた気泡解砕部とを有する水洗便器において、該気泡解砕部は、該気泡解砕部よりも上流側の略水平な第１水路が該下部に連なり、該気泡解砕部よりも下流側の略水平な第２水路が上部に連なった上下方向水路よりなり、該第２水路の上面は、前記吐水口に至るまで平坦であることを特徴とするものである。
【００１１】
請求項２の水洗便器は、請求項１において、該第２水路の流路断面積は、第２水路全体にわたって同一であるか、又は下流側が上流側と同一かそれよりも大きいものであることを特徴とするものである。
【００１２】
請求項３の水洗便器は、請求項１又は２において、前記気泡解砕部に臨む第１水路の末端と、該末端の前方に位置する気泡解砕部内面との距離が３０〜６０ｍｍであることを特徴とするものである。
【００１３】
請求項４の水洗便器は、請求項３において、該第１水路の末端は、該気泡解砕部内に突出していることを特徴とするものである。
【００１４】
請求項５の水洗便器は、請求項１ないし４のいずれか１項において、該気泡解砕部の少なくとも下部の水平断面積が、第１水路及び第２水路のいずれの流路断面積よりも大きいことを特徴とするものである。
【発明の効果】
【００１５】
本発明の水洗便器では、水路の途中に上下方向水路よりなる気泡解砕部を設け、水を第１水路から該気泡解砕部に流入させる。第１水路からの水に含まれていた比較的大きな気泡は、第１水路の末端の前方に位置する気泡解砕部の内面に当って細かく砕かれ、細かい気泡が水と共に第２水路を経て吐水口から流出する。この細かい気泡を含んだ水は、吐水口から流出する際に発生する騒音が著しく小さい。
【００１６】
第１水路の末端と、該末端が対面する気泡解砕部内面との距離を３０〜６０ｍｍとすることにより、第１水路からの気泡が該気泡解砕部内面に当って効率よく解砕される。
【００１７】
第１水路末端と該気泡解砕部内面との距離を小さくするために、第１水路の末端を気泡解砕部内に突出させてもよい。
【００１８】
気泡解砕部の少なくとも下部の水平断面積が、第１水路及び第２水路のいずれの流路断面積よりも大きい構成とすることにより、気泡解砕部内の水の上昇流速が小さくなり、第１水路末端から気泡解砕部内に流入した気泡が気泡解砕部内面に当って効率よく解砕される。
【００１９】
第２水路の天井面を吐水口に至るまで平坦とすることにより、第２水路内で気泡が溜って空気塊を形成することが防止される。
【００２０】
第２水路の流路断面積を第２水路全体にわたって同一とするか、又は下流側が上流側と同一かそれよりも大きいものとすることにより、第２水路内で気泡が圧縮されることが防止される。
【発明を実施するための最良の形態】
【００２１】
以下、図面を参照して実施の形態について説明する。第１図（ａ）は実施の形態に係る水洗便器の概略的な縦断面図、同（ｂ）は気泡解砕部の概略的な縦断面図、同（ｃ）は同（ｂ）のＣ−Ｃ線に沿う概略的な断面図、第２図は気泡解砕部の動作説明図である。
【００２２】
洋風便器１０の鉢部１１の上部内周面に沿って溝よりなる走水路１２が設けられている。鉢部１１の下部は、トラップ１３及び排水ソケット１４を介して排水管１５に連通している。
【００２３】
この走水路１２に水を供給するための給水系は、給水配管２０、バルブ２１、該バルブ２１に連なり、下方に延在した配管２２、該配管２２の上部に連なるバキュームブレーカ２３、該配管２２の下端に連なり、略水平方向に延在した配管よりなる第１水路２４、該第１水路２４の末端が下部に接続された、上下方向水路よりなる気泡解砕部２５、該気泡解砕部２５の上部に連なった配管よりなる第２水路２６、及び、該第２水路２６の末端の吐水口２７よりなる。吐水口２７からの水の吐水方向は、走水路１２のほぼ接線方向である。
【００２４】
この実施の形態では、気泡解砕部は筒軸心方向を上下方向とした円筒状であり、第１水路２４及び第２水路２６はいずれも気泡解砕部の直径方向に延在している。
【００２５】
気泡解砕部２５の水平断面積は第１及び第２水路２４，２６の流路断面積よりも大きい。第２水路２６の天井面は、気泡解砕部２５に連なる流入端から吐水口２７に至るまで平坦である。即ち、流入端から吐水口２７に向う軸心線と平行方向において、天井面には凹凸はない。この軸心線と直交方向の断面では、第９図のように天井面は平面でも、円弧形などの曲面であってもよい。
【００２６】
第２水路２６の流路断面積は、流入端から吐水口２７に至るまで一様である。
【００２７】
なお、気泡解砕部２５の水平断面積は第１水路２４の流路断面積の４〜２０倍程度が好適である。気泡解砕部２５の高さは４０〜１００ｍｍ程度が好適である。
【００２８】
配管２２の上部は、第２水路２６よりも上方にまで延在しており、バルブ２１及びバキュームブレーカ２３はそれぞれ第２水路２６よりも上位に位置している。
【００２９】
このように構成された便器１０においては、バルブ２１を開ける前は、第１図（ａ）及び第２図（ａ）の通り、配管２２、第１水路２４及び気泡解砕部２５内には、第２水路２６の床面レベルにまで水が溜っている。この溜水とバルブ２０との間の配管２２内には空気が溜っている。
【００３０】
バルブ２１を開けると、配管２０から水が配管２２内に流入し、該配管２２内に溜っていた空気と混ざりながら、第２図（ｂ）の如く、第１水路２４から気泡解砕部２５内に流入する。この第１水路２４から気泡解砕部２５内に入った気泡は、第１水路２４の末端に対向する気泡解砕部内面２５ａに当って細かく解砕され、第２図（ｃ）の通り第２水路２６から吐水口２７を経て走水路１２へ流出する。なお、第１水路２４の末端と、対向する気泡解砕部内面２５ａとの距離が３０〜６０ｍｍであると、気泡が効率よく解砕される。このときの流量は１０〜２５Ｌ／ｍｉｎ程度が好適である。
【００３１】
このように細かくなっている気泡は、吐水口２７から走水路１２へ流出する際に破裂することがなく、破裂音に起因した騒音発生が防止される。走水路１２へ流出した水は、走水路１２に沿って鉢部１１の上部を周回するように流れ、この間に徐々に走水路１２から鉢部１１の内面に周回する如く流下し、これにより、鉢部１１の略全面が水洗される。鉢部１１内の水はトラップ１３及び排水ソケット１４を経て排水管１５へ排出される。
【００３２】
バルブ２１を閉じると、第１図（ａ）及び第２図（ａ）の状態に戻る。なお、配管２２内へはバキュームブレーカ２３を介して空気が流入する。
【００３３】
このように、この実施の形態によると、気泡が細かく解砕されるので、吐水口２７からの吐水騒音が小さい。特にこの実施の形態では、第２水路２６の天井面が平坦かつ水平であるので、第２水路２６内に空気が溜まることがない。従って、洗浄終了に至るまで、騒音が小さい。
【００３４】
また、この実施の形態では第２水路２６の流路断面積が一様であり、第２水路２６内で気泡が圧縮されない。このため、気泡が吐水口２７から出るときに、はじけることが一層確実に防止される。
【００３５】
なお、第８図のように、第１水路２４の出口近傍に、下流ほど小口径となるノズル部２４ｊを設けると、気泡がさらに細かく解砕される。
【００３６】
第３〜第５図を参照して別の実施の形態について説明する。
【００３７】
第３図の気泡解砕部２５Ａは、第１水路２４Ａの末端２４ａを該気泡解砕部２５Ａ内に突出させて気泡解砕内面２５ａに近接させたものである。この気泡解砕部２５Ａによると、気泡解砕効果が強化される。なお、第３図では第２水路２６Ａの流入端２６ａを気泡解砕部２５Ａ内に突出させているが、第１，２図のように突出させなくてもよい。
【００３８】
第４図（ａ），（ｂ）に示す気泡解砕部２５Ｂは、その頂部２５ｂを第２水路２６に向って上り勾配となる斜面としたものである。このように頂部２５ｂを斜面とすることにより、該頂部２５ｂに空気が溜ることが確実に防止される。
【００３９】
第５図（ａ），（ｂ）の気泡解砕部２５Ｃは、頂部２５ｃを第２水路２６Ｂに向って上り勾配とすると共に、第２水路２６Ｂの天井面を吐水口２７に向って上り勾配としたものである。なお、第２水路２６Ｂの天井面は、凹凸のない平坦面である。第２水路２６Ｂの流路断面積は、流入端から吐水口２７に至るまで徐々に拡大している。第２水路２６Ｂの底面は平坦かつ水平である。この実施の形態によると、第２水路２６Ｂ内で気泡が圧縮されることがより確実に防止される。
【００４０】
上記実施の形態はいずれも本発明の一例であり、本発明は図示以外の形態をもとりうる。例えば、上記実施の形態では気泡解砕部２５は円筒形であるが、楕円筒形、角筒形であってもよい。
【図面の簡単な説明】
【００４１】
【図１】第１図（ａ）は実施の形態に係る水洗便器の概略的な縦断面図、同（ｂ）は気泡解砕部の概略的な縦断面図、同（ｃ）は同（ｂ）のＣ−Ｃ線に沿う概略的な断面図である。
【図２】気泡解砕部の動作説明図である。
【図３】別の実施の形態に用いられる気泡解砕部の断面図である。
【図４】別の実施の形態に用いられる気泡解砕部の断面図である。
【図５】別の実施の形態に用いられる気泡解砕部の断面図である。
【図６】水路の天井面を平坦とした場合の水路内の気泡状況図である。
【図７】水路の天井面に立ち下がり部を設けた場合の気泡状況図である。
【図８】別の実施の形態に用いられる気泡解砕部の断面図である。
【図９】第２水路の断面図である。
【符号の説明】
【００４２】
１０  洋風便器
１１  鉢部
１２  走水路
２４，２４Ａ  第１水路
２５，２５Ａ，２５Ｂ，２５Ｃ  気泡解砕部
２６，２６Ａ，２６Ｂ  第２水路
【図１】
2007169966.tif 000003
【図２】
2007169966.tif 000004
【図３】
2007169966.tif 000005
【図４】
2007169966.tif 000006
【図５】
2007169966.tif 000007
【図６】
2007169966.tif 000008
【図７】
2007169966.tif 000009
【図８】
2007169966.tif 000010
【図９】
2007169966.tif 000011